(57)【特許請求の範囲】
【請求項１】
安定器を収納した安定器収納部が配線ダクトに係り合う係り合い部を備えたスポットライトにおいて、
前記係り合い部は、前記配線ダクトに配された電源ラインに接続されるプラグ部と、前記配線ダクトの溝部に嵌合されて前記安定器収納部を該配線ダクトに固定する固定部と、を備え、
前記プラグ部は、前記配線ダクトの溝部に嵌合され、前記配線ダクトの長手方向に対する平行位置と直交位置とに回動自在なプラグ回転板を有し、
前記固定部は、操作ネジを回すことにより回動して前記配線ダクトの溝部に嵌合する固定部回転板を有し、この固定部回転板は略四辺形状で角に丸みを持った曲部を有し、かつ前記安定器収納部に設けられたストッパーにより回動範囲を制限するための切り欠き部を有し、
前記プラグ部と固定部とにより前記配線ダクトに取り付けられることを特徴とするスポットライト。
【請求項２】
前記プラグ部は、前記プラグ回転板が前記配線ダクトの溝部に嵌合されることにより、前記電源ラインに電気接続されることを特徴とする請求項１に記載のスポットライト。
【発明の詳細な説明】
【技術分野】
【０００１】
本発明は、設置面に設けられた配線ダクトに取り付けられるスポットライトに関する。
【背景技術】
【０００２】
従来から、商品演出や建築空間の空間演出に使用され、天井面や壁面等に取り付けられるスポットライトが知られている。この種のスポットライトは、天井面等の設置面に設けられた配線ダクトの溝部に、プラグ部を嵌合させて、配線ダクトに固定されると共に、配線ダクトに配せられた電源ラインに電気接続される。そして、プラグ部とは別に設けられたフックを配線ダクトの溝部に掛架してスポットライトを配線ダクトに取り付けている。しかしながら、プラグ部とフックとによる取り付けでは、スポットライトの支持を十分に行うことができないので、照明位置が安定しない虞がある。
【０００３】
また、プラグ部の他にも配線ダクトの溝部の嵌合する固定部を設けたスポットライトが知られている（例えば、特許文献１参照）。
【０００４】
しかしながら、特許文献１に示されるスポットライトにおいては、固定部を溝部に取り付けてからでないと、プラグ部を溝部に取り付けることができないので、取り付け性が悪い。
【特許文献１】特開２００３−１６８２８号公報
【発明の開示】
【発明が解決しようとする課題】
【０００５】
本発明は、上記従来の問題を解決するためになされたものであり、配線ダクトへ堅牢に取り付けることができ、かつ、取り付け性の良いスポットライトを提供することを目的とする。
【課題を解決するための手段】
【０００６】
上記目的を達成するために請求項１の発明は、安定器を収納した安定器収納部が配線ダクトに係り合う係り合い部を備えたスポットライトにおいて、前記係り合い部は、前記配線ダクトに配された電源ラインに接続されるプラグ部と、前記配線ダクトの溝部に嵌合されて前記安定器収納部を該配線ダクトに固定する固定部と、を備え、前記プラグ部は、前記配線ダクトの溝部に嵌合され、前記配線ダクトの長手方向に対する平行位置と直交位置とに回動自在なプラグ回転板を有し、前記固定部は、操作ネジを回すことにより回動して前記配線ダクトの溝部に嵌合する固定部回転板を有し、この固定部回転板は略四辺形状で角に丸みを持った曲部を有し、かつ前記安定器収納部に設けられたストッパーにより回動範囲を制限するための切り欠き部を有し、前記プラグ部と固定部とにより前記配線ダクトに取り付けられるものである。
【０００７】
請求項２の発明は、請求項１に記載のスポットライトにおいて、前記プラグ部は、前記プラグ回転板が前記配線ダクトの溝部に嵌合されることにより、前記電源ラインに電気接続されるものである。
【発明の効果】
【０００８】
請求項１の発明によれば、スポットライトをプラグ部と固定部とによって配線ダクトの溝部に嵌合して取り付けるので、堅牢に取り付けることができる。また、プラグ部と固定部のどちらからでも取り付けることができるので、取り付け性が良い。また、固定部回転板の操作ネジの構造によって取り付け性が向上し、また、曲部の構造によって配線ダクトの溝部の内幅に干渉されることなく回動されるが、所定位置まで回動させると溝部の内幅に干渉され回動されなくなる。さらに、固定部回転板に切り欠き部を設けることにより、ストッパーにより逆方向への回動を防止することができる。
【０００９】
請求項２の発明によれば、プラグ部の取り付けによって電気接続もできるので、取り付け作業が容易になる。
【発明を実施するための最良の形態】
【００１０】
本発明の一実施形態に係るスポットライトについて図面を参照して説明する。図１及び図２は、本実施形態に係るスポットライトの構成を示す。このスポットライト１は、例えば天井面等に設置されて吊り下げ固定され、商業空間の商品演出や建築空間の空間演出等のため照明光を対象物に照射する照明装置である。スポットライト１は、光源２と、光源を点灯させる安定器３と、安定器３を収納し、設置面に設けられた配線ダクト４に取り付けられる安定器収納部５と、安定器収納部５に設けられ光源２を支持するアーム６と、アームに取り付けられた反射鏡７と、を備える。安定器収納部５は配線ダクト４に係り合う係り合い部５１を備え、係り合い部５１は、配線ダクト４に配された電源ライン４１に接続されるプラグ部５２と、配線ダクト４の溝部４２に嵌合されて安定器収納部５を配線ダクト４に固定する固定部５３と、を有する。
【００１１】
光源２は、反射鏡７の開口面と略平行に配置されている。反射鏡７はセード８に固定され、セード８は、アーム６の下端部に、光源２の長手方向の中心軸を中心に回動自在に支持されている。光源２は、例えば、セラミックメタルハライドランプにより構成される。このセラミックメタルハライドランプは背高で、外形が略円柱状であり、その口金は、例えばねじ込み式であり、アーム６の下端部に収納されたソケット（図示なし）に取り付けられる。この光源２は、その長手方向が水平方向と略平行になるように配設されている。光源２の構成及び形状は上記に限定されない。
【００１２】
反射鏡７は、略円錐台状又は略椀状であり、セード８内に固定され、その径は光源２のバルブ部分の長さより大きい。この反射鏡７には、前面と背面とに開口７１、７２が設けられている。この前面の開口７１は光出射用の開口であり、背面の開口７２より径が大きい。背面の開口７２は放熱用の開口である。
【００１３】
アーム６は、中空筒状体であり、水平部６１と、水平部６１の一端からこの水平部６１と略９０度の角度を持って下方に延びる垂直部６２とにより構成されている。水平部６１の他端には、上方に延びる略円筒状の水平回転軸部６３が設けられている。この水平回転軸部６３は安定器収納部本体５４の底部に設けられた孔（図示なし）に挿し込まれる。安定器収納部本体５４内部に挿し込まれた水平回転軸部６３の先端部には、回動範囲を規制するための回動止め金具６５が嵌着される。さらに、水平回転軸部６３の最先端部には、ナット６６が取り付けられる。水平回転軸部６３に設けられた突起と、回転止め金具６５の内径に設けられた突起とが干渉することにより、回転範囲が規制される。垂直部６２の下端には、ソケットを取り付けるための回転軸部６４が形成されている。
【００１４】
セード８は、前面が開口した桶状で且つ正面視略円形状のセード本体８１と、このセード本体８１の前面開口に対応した大きさを有する略環状の前面枠８２とにより構成されている。セード本体８１の大きさは、反射鏡７の大きさに対応しており、セード本体８１の径は、光源２のバルブ部分の長さより大きい。セード本体８１の背面には、放熱用の開口８３が設けられており、この開口８３の位置は、反射鏡７の放熱用の開口７２と対応している。前面枠８２は、セード本体８１の前面開口への嵌め込み及び回転によりセード本体８１への取り付けが可能に構成されている。反射鏡７は、セード本体８１の前面開口から嵌め込まれ、固定用バネ８４によりセード本体８１内部に押し当てられて固定される。このようにしてセード本体８１は反射鏡７を内包する。セード本体８１の前面開口には、反射鏡７がセード本体８１に内包された状態で、前面枠８２が取り付けられる。
【００１５】
セード本体８１の側部には、略円筒状の軸受部８４が貫通して形成されている。この軸受部８４には、アーム６の回転軸部６４が嵌挿される。セード８は、回転軸部６４が軸受部８４に嵌挿された状態で、回転軸部６４を軸とした回動が可能となる。従って、ソケットに光源２が装着された状態で、回転軸部６４が軸受部８４に嵌挿されたとき、光源２を動かすことなく、セード８を回動させるだけで光照射方向を上下方向に変更することが可能となる。
【００１６】
安定器収納部５は、上面が開口した安定器収納部本体５４と、その開口を塞ぐカバー５５とにより構成され、プラグ部５２と固定部５３が安定器収納部本体５４に取り付けられている。
【００１７】
図３は、配線ダクト４の断面を示す。配線ダクト４は、下方にプラグ部５２や固定部５３が挿入する開口部４３と、嵌合する溝部４２と、プラグ部５２に電気接続して電源を供給する電源ライン４１とを有している。
【００１８】
図４は、プラグ部５２を斜め上方から見た図である。プラグ部５２は、配線ダクト４の長手方向に対する平行位置Ａと直交位置Ｂとに矢印Ｃに示すように回動自在で、配線ダクト４の溝部４２に嵌合する略四辺形上のプラグ回転板５２ａと、プラグ回転板５２ａと共に回動し、配線ダクト４の電源ライン４１と電気接続される２枚の電気接続端子板５２ｂと、プラグ回転板５２ａと電気接続端子板５２ｂとを回動させるレバー５２ｃを有している。安定器収納部本体５４にはストッパー５２ｄが設けられており、レバー５２ｃの回転範囲を制限している。プラグ部５２を配線ダクト４に取り付けるときは、まず、プラグ回転板５２ａの長手方向を平行位置Ａに合わせる。続いて、プラグ部５２を配線ダクト４の開口部４３に挿入し、レバー５２ｃを回してプラグ回転板５２ａの長手方向が直交位置Ｂの位置になるように回動し、プラグ回転板５２ａを溝部４２に嵌合させて配線ダクト４に取り付ける。このとき、電気接続端子板５２ｂも一緒に回動し電源ライン４１に電気接続される。
【００１９】
図５は、固定部５３を斜め下方から見た図であり、図６は、配線ダクト４に嵌合された固定部５３を下方から見た図であり、図７は、固定部５３を配線ダクト４に取り付ける動作を説明する図である。固定部５３は、平行位置Ａと直交位置Ｂとに矢印Ｄに示すように回動自在で、配線ダクト４の溝部４２に嵌合する固定部回転板５３ａを有している。固定部回転板５３ａは、操作ネジ５３ｂを回すことにより回動する。固定部回転板５３ａは略四辺形状で、回動可能なように角が丸みを持った曲部５３ｃを有している。また、固定部回転板５３ａには、切り欠き部５３ｅが設けられており、安定器収納部本体５４の回転ストッパー５３ｆによって、逆方向への回動が防止されている。
【００２０】
固定部５３を配線ダクト４に取り付けるときには、図７に示したように、固定部回転板５３ａの長手方向を平行位置Ａに合わせて、固定部５３を配線ダクト４の開口部４３に挿入した状態から、操作ネジ５３ｂを矢印Ｄ方向に回して、固定部回転板５３ａの長手方向を直交位置Ｂに合わせる。このとき、固定部回転板５３ａの曲部５３ｃは丸みを持っているので、溝部４２の内幅に干渉されることなく回動させることができるが、直交位置Ｂにまで回動させると、溝部４２の内幅に干渉される。さらに、固定部回転板５３ａを回動させようとしても、曲部５３ｃに隣接した角部５３ｄが溝部４２の内幅に当接して回動範囲が制限される。こうして、固定部５３は配線ダクト４に嵌合し取り付けられる。
【００２１】
スポットライト１を配線ダクト４に取り付けるときには、プラグ部５２を取り付けてから固定部５３を取り付けてもよいし、固定部５３を取り付けてからプラグ部５２を取り付けてもよい。また、同時に取り付けてもよい。
【００２２】
上述した本実施形態によれば、スポットライト１は、プラグ部５２と固定部５３とによって配線ダクト４の溝部４２に嵌合して取り付けられるので、堅牢に取り付けることができる。また、プラグ部５２と固定部５３のどちらからでも取り付けることができるので、取り付け性がよい。また、プラグ部５２の取り付けによって電気接続もできるので、取り付け作業が容易になる。
【００２３】
なお、本発明は、上記各種実施形態の構成に限られず、発明の趣旨を変更しない範囲で種々の変形が可能である。例えば、固定部回転板５３ａにレバーを取り付けて、レバーによって固定部回転板５３ａを回動してもよい。
【図面の簡単な説明】
【００２４】
【図１】本発明の一実施形態に係るスポットライトの斜視図。
【図２】同スポットライトの分解斜視図。
【図３】同スポットライトが取り付けられる配線ダクトの断面図。
【図４】同スポットライトのプラグ部の斜視図。
【図５】同スポットライトの固定部を、その下方から見た斜視図。
【図６】配線ダクトに取り付けられた状態における固定部を、その下方から見た斜視図。
【図７】配線ダクトの溝部に挿入された固定部の底面図。
【符号の説明】
【００２５】
１  スポットライト
３  安定器
４  配線ダクト
４１  電源ライン
４２  溝部
５  安定器収納部
５１  係り合い部
５２  プラグ部
５２ａ  プラグ回転板
５３  固定部
【図１】
0004844491.tif 000002
【図２】
0004844491.tif 000003
【図３】
0004844491.tif 000004
【図４】
0004844491.tif 000005
【図５】
0004844491.tif 000006
【図６】
0004844491.tif 000007
【図７】
0004844491.tif 000008